(57)【要約】【課題】通話サービスと広告機能とを効果的に融合すること。【解決手段】  表示画面を備えた通信端末を制御する通信端末制御方法であって、通話の相手先を表示画面１０１ａに表示する相手先表示ステップ（Ｓ２）と、表示画面に表示された相手先に対する通話要求操作を受け付け、通話処理を開始する通話開始ステップ（Ｓ８）と、通話要求操作に応じて、少なくとも前記通話処理の終了時に、広告画像データを用いて表示画面１０１ｂに広告宣伝用画像を表示する広告表示ステップ（Ｓ５）と、を含む。【選択図】  図１
2006319653.tif 000002
【特許請求の範囲】
【請求項１】
表示画面を備えた通信端末を制御する通信端末制御方法であって、
通話の相手先を前記表示画面に表示する相手先表示ステップと、
前記表示画面に表示された前記相手先に対する通話要求操作を受け付け、通話処理を開始する通話開始ステップと、
前記通話要求操作に応じて、少なくとも前記通話処理の終了時に、前記表示画面に前記広告宣伝用画像を表示する広告表示ステップと、
を含むことを特徴とする通信端末制御方法。
【請求項２】
前記広告表示ステップは、前記通話要求操作に応じて、前記広告宣伝用画像を表示するための広告画像データをサーバから受信することを特徴とする請求項１に記載の通信端末制御方法。
【請求項３】
前記広告表示ステップは、前記通話要求操作に応じて、前記通話処理の開始時に、前記表示画面に広告宣伝用画像を表示することを特徴とする請求項１に記載の通信端末制御方法。
【請求項４】
表示画面を備えた通信端末であって、
通話の相手先を前記表示画面に表示する相手先表示手段と、
前記表示画面に表示された前記相手先に対する通話開始操作を受け付け、通話処理を開始する通話開始手段と、
前記通話開始操作に応じて、前記広告宣伝用画像を表示するための広告画像データを生成する生成手段と、
少なくとも前記通話処理の終了時に、前記広告画像データを用いて前記表示画面に前記広告宣伝用画像を表示する広告表示手段と、
を含むことを特徴とする通信端末。
【請求項５】
ネットワークを介して通信端末と通信可能な通信サーバであって、
発信元としての電話番号と、その発信元から呼出すことのできる呼出先の電話番号リストとを対応して記憶する記憶手段と、
ネットワークを介してアクセスしてきた通信端末の電話番号を取得する取得手段と、
前記記憶手段を参照して、前記取得手段で取得した前記電話番号を発信元とした場合の呼出先の電話番号リストを導き出す導出手段と、
前記通信端末に対し、前記導出手段で導出した呼出先の電話番号リストを送信する送信手段と、
前記電話番号リストに含まれる何れかの電話番号に対する呼出し操作が前記通信端末において行なわれたことを通知する通知情報を、前記通信端末から受信する受信手段と、
前記受信手段で前記通知情報を受信した場合に、前記通信端末に設けられた表示画面に広告宣伝用画像を表示させるための広告画像データを、前記通信端末に送信する広告送信手段と、
を含むことを特徴とする通信サーバ。
【請求項６】
前記広告送信手段は、前記発信元の属性に応じた広告画像データを選択して、前記通信端末に送信することを特徴とする請求項５に記載の通信サーバ。
【請求項７】
前記受信手段は、更に、前記電話番号リストに含まれる電話番号のうち、呼出すべき電話番号を前記通信端末から受信し、
前記取得手段で取得した電話番号及び前記受信手段で受信した電話番号のそれぞれに対して交換器に発呼させるように、前記取得手段で取得した電話番号及び前記受信手段で受信した電話番号を、交換器用サーバに送信する番号送信手段と、
を更に含むことを特徴とする請求項５に記載の通信サーバ。
【請求項８】
表示画面を備えた通信端末と、該通信端末とネットワークを介して接続される通信サーバと、を用いた通信方法であって、
通話の相手先を前記表示画面に表示する相手先表示ステップと、
前記通信端末において、前記表示画面に表示された前記相手先に対する通話要求操作を受け付け、通話処理を開始する通話開始ステップと、
前記通話要求操作があった旨を前記通信端末が前記通信サーバに対して通知する通知ステップと、
前記通知ステップで前記通話要求操作の通知があった場合に、前記通信サーバが、前記広告宣伝用画像を表示するための広告画像データを、前記通信端末に送信する送信ステップと、
前記通信端末が、前記通信サーバから前記広告画像データを受信し、少なくとも前記通話処理の終了時に、前記広告画像データを用いて前記表示画面に前記広告宣伝用画像を表示する広告表示ステップと、
を含むことを特徴とする通信方法。
【発明の詳細な説明】
【技術分野】
【０００１】
本発明は、通信端末制御方法、通信端末、通信サーバ、及び通信方法に関する。
【背景技術】
【０００２】
従来から、表示画面を備え、表示画面を見ながら操作することによって、他の端末との通話を可能とする通信端末が知られている（例えば、特許文献１参照）。
【０００３】
【特許文献１】特開２００２−１４２０２３号公報
【発明の開示】
【発明が解決しようとする課題】
【０００４】
しかしながら、従来の通信端末では、ユーザがアクセスしたインターネット上のページに広告画像を表示する程度の広告宣伝モデルしか実現されていなかった。そのため、その広告に興味のないユーザにとって、広告画像の表示は意味のないものであり、更には、悪印象を持たれる場合まであった。
【０００５】
一方、近年の通信端末では、表示画面を見ながら通話要求操作を行なうことが一般に行なわれてきている。
【０００６】
それにもかかわらず、広告機能と通話サービスとの融合は行なわれておらず、通話作業を行なうユーザに対する効果的な広告宣伝を行なうことはできなかった。
【０００７】
本発明は、上述の従来技術の課題を解決するためになされたもので、その目的とするところは、通話サービスと広告機能とを効果的に融合することにある。
【課題を解決するための手段】
【０００８】
上記目的を達成するため、本発明に係る方法は、
表示画面を備えた通信端末を制御する通信端末制御方法であって、
通話の相手先を前記表示画面に表示する相手先表示ステップと、
前記表示画面に表示された前記相手先に対する通話要求操作を受け付け、通話処理を開始する通話開始ステップと、
前記通話要求操作に応じて、前記広告宣伝用画像を表示するための広告画像データを生成する生成ステップと、
少なくとも前記通話処理の終了時に、前記広告画像データを用いて前記表示画面に前記広告宣伝用画像を表示する広告表示ステップと、
を含むことを特徴とする。
【０００９】
前記生成ステップは、前記通話要求操作に応じて、前記広告宣伝用画像を表示するための広告画像データをサーバからダウンロードすることを特徴とする。
【００１０】
前記広告表示ステップは、前記通話要求操作に応じて、前記通話処理の開始時に、前記表示画面に広告宣伝用画像を表示することを特徴とする。
【００１１】
表示画面を備えた通信端末であって、
通話の相手先を前記表示画面に表示する相手先表示手段と、
前記表示画面に表示された前記相手先に対する通話開始操作を受け付け、通話処理を開始する通話開始手段と、
前記通話開始操作に応じて、前記広告宣伝用画像を表示するための広告画像データを生成する生成手段と、
少なくとも前記通話処理の終了時に、前記広告画像データを用いて前記表示画面に前記広告宣伝用画像を表示する広告表示手段と、
を含むことを特徴とする。
【００１２】
ネットワークを介して通信端末と通信可能な通信サーバであって、
発信元としての電話番号と、その発信元から呼出すことのできる呼出先の電話番号リストとを対応して記憶する記憶手段と、
ネットワークを介してアクセスしてきた通信端末の電話番号を取得する取得手段と、
前記記憶手段を参照して、前記取得手段で取得した前記電話番号を発信元とした場合の呼出先の電話番号リストを導き出す導出手段と、
前記通信端末に対し、前記導出手段で導出した呼出先の電話番号リストを送信する送信手段と、
前記電話番号リストに含まれる何れかの電話番号に対する呼出し操作が前記通信端末において行なわれたことを通知する通知情報を、前記通信端末から受信する受信手段と、
前記受信手段で前記通知情報を受信した場合に、前記通信端末に設けられた表示画面に広告宣伝用画像を表示させるための広告画像データを、前記通信端末に送信する広告送信手段と、
を含むことを特徴とする。
【００１３】
前記受信手段は、更に、前記電話番号リストに含まれる電話番号のうち、呼出すべき電話番号を前記通信端末から受信し、
前記取得手段で取得した電話番号及び前記受信手段で受信した電話番号のそれぞれに対して交換器に発呼させるように、前記取得手段で取得した電話番号及び前記受信手段で受信した電話番号を、交換器用サーバに送信する番号送信手段と、
を更に含むことを特徴とする。
【００１４】
表示画面を備えた通信端末と、該通信端末とネットワークを介して接続される通信サーバと、を用いた通信方法であって、
通話の相手先を前記表示画面に表示する相手先表示ステップと、
前記通信端末において、前記表示画面に表示された前記相手先に対する通話要求操作を受け付け、通話処理を開始する通話開始ステップと、
前記通話要求操作があった旨を前記通信端末が前記通信サーバに対して通知する通知ステップと、
前記通知ステップで前記通話要求操作の通知があった場合に、前記通信サーバは、前記広告宣伝用画像を表示するための広告画像データを生成し、前記通信端末に送信する送信ステップと、
前記通信端末が、前記通信サーバから前記広告画像データを受信し、少なくとも前記通話処理の終了時に、前記広告画像データを用いて前記表示画面に前記広告宣伝用画像を表示する広告表示ステップと、
を含むことを特徴とする。
【発明の効果】
【００１５】
本発明によれば、通話サービスと広告機能とを効果的に融合することができる。
【発明を実施するための最良の形態】
【００１６】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１７】
（概要）
本実施形態は、通話サービスと、静止画または動画で表示される広告機能とを一体化することにより、一般通話サービス利用者に対して、効果的に広告を行なう通信端末である。
【００１８】
具体的には、画面を目で見ながら通話操作を行う通信端末を利用し、少なくとも通話終了時には、広告画像を画面に表示するものである。例えば、インターネットを利用した通話サービスを受けることができる通信端末において、通話開始時や通話中、通話終了時等のタイミングで広告を表示する。
【００１９】
ここで、広告主は、広告料をユーザに還元する意味で、通話料の無料化または低額化を図る。これにより、ユーザは広告主に対して好意的な印象を受けることにもなる。もちろん、ユーザにとっては、通話料が安くなるという大きなメリットがある。広告主は、通話の度に確実にユーザに宣伝広告を行なうことができるため、高い広告効果が期待できる。
【００２０】
（構成）
本実施形態にかかる通信システム全体の構成及び動作について図１を用いて説明する。図１において、１０１、１０２は、通信端末としての携帯電話を示しており、１０３はサーバ、１０４は交換機を示す。携帯電話１０１は、表示画面を有しており、更にインターネットへの接続機能を有している。サーバ１０３は、Ｗｅｂサーバとしての機能を備えており、インターネットを介したアクセスに対して、Ｗｅｂコンテンツを提供する。具体的には、ユーザ端末１０１から、ＵＲＬとユーザＩＤを特定したアクセスがあった場合（Ｓ１）、そのユーザが相手先として選択可能な電話番号リストをユーザ端末１０１に送信する（Ｓ２）。この電話番号リストはユーザが予めサーバ１０３に対して登録しているものであり、その内容は自由に変更可能である。
【００２１】
ユーザ端末１０１では、その電話番号リスト１０１ａを表示し、ユーザから、その電話番号リスト１０１ａに含まれる何れかの相手先に対する通話要求を受け付ける。通話要求は、ユーザ端末１０１からサーバ１０３に送られ、サーバ１０３は、その通話要求により、ユーザ端末１０１から相手先端末１０２への通話を要求されることを知る。そして、交換機１０４に対し、２つの電話番号を特定した発呼命令を送る（Ｓ４）。同時に、サーバ１０３は、ユーザ端末１０１に対して、広告画像を送信する。これにより、ユーザ端末１０１の表示画面には、広告主のページ１０１ｂが表示される。
【００２２】
交換機１０４は、サーバ１０３から受信した２つの電話番号に対して発呼を行ない（Ｓ６、Ｓ７）、ユーザ端末１０１及び相手先端末１０２が共に着呼した場合にはそれらを繋げ、通話を実現する（Ｓ８）。
【００２３】
図２を用いて、更に詳しい処理の流れについて説明する。
【００２４】
まず、ユーザは、自分の端末１０１から、インターネットを介してＷｅｂ上のサーバ１０３にアクセスする（２０１）。具体的には、ログイン画面を表示し、ログイン画面に用意されたユーザＩＤ欄及びパスワード欄に対する入力を促す。これらの欄への入力値が正しかった場合、サーバ１０３では、アクセスしてきた端末を特定し、データベースからその端末に対応するユーザ情報を抽出する（２０２）。ここで、ユーザ登録を条件にサービスの提供を行なう場合には、ユーザ登録している人のみが、データベースから自分のユーザ情報を読出すことができる。次に、自分と相手先の電話番号を入力又は画面に表示された相手先（リンク）をリストから選択（クリック）する（２０３）。
【００２５】
これにより、サーバ１０３はユーザと相手先の電話番号を特定した通話要求があったものと判断する（２０４）。次にサーバ１０３は、コールバック事業者が管理する交換機１０４に対して、ユーザと相手先の電話番号を送信し（２０５）、更に、ユーザの端末に表示されているＷｅｂページを、広告主のサイトまたは、広告主のサイトへのリンクが貼られた広告用サイトに変更する（２０６）。これにより、ユーザ端末の表示画面にはＷｅｂ画像として広告画像が表示される（２０８）。一方、交換機１０４は、ユーザと相手先の電話番号を受信する（２０９）。この時点で、広告主１０５に対して、１クリックによる課金が行なわれる。
【００２６】
交換機１０４では、受信したユーザ電話番号に対して発呼し（２１０）、更に、相手先電話番号に対しても発呼する（２１１）。これに対応して、ユーザ端末１０１及び相手先端末１０２には、それぞれ着呼がある（２１３、２１４）。この着呼に対し、ユーザ端末１０１及び相手先端末１０２にて、通話操作が行なわれると（２１４、２１５）、ユーザとの通話が実現する。その後、２１７で通話終了操作が行なわれて電話が切られるまで通話が継続される。この間、ユーザ端末１０１には、Ｗｅｂ画像として広告画像が提供されているが、携帯電話の場合、発呼中、通話中などを表わす画像がＷｅｂ画像に優先して表示される仕様となっているものが一般的である。しかし、そのような携帯電話でもＷｅｂ画像を表示している状態で着呼した場合には、通話終了後にＷｅｂ画像に復帰する。従って、少なくとも通話終了後の表示画面には広告画像が表示され、通話処理に関連づけて広告宣伝効果を得ることが可能となる（２１８）。ユーザ端末が、ＰＣ等の情報端末である場合には、通話中もＷｅｂ画像が表示されるものが一般的であり、その場合、より大きな広告効果が得られる。
【００２７】
次に、図３を用いて、サーバ１０３内に備えられたデータベースの構成について説明する。
【００２８】
サーバ１０３には、ユーザ情報テーブル１０３ａが管理されている。このテーブルには、ユーザＩＤのほか、ユーザアカウント、名前、Ｅ−ｍａｉｌアドレス、電話番号、及びユーザの居住地域並びにユーザの年齢が登録されている。もちろんこれらは一例に過ぎず、他の個人情報（住所や職業など）を登録しても良い。このようなユーザ情報は、本実施形態にて説明するサービスを受けたいユーザが予め登録する。
【００２９】
サーバ１０３には、また、ユーザ毎に、相手先電話番号テーブル１０３ｂが管理されている。このテーブル１０３ｂには、一人のユーザに対して、複数の相手先名称及びその電話番号を登録できる。もちろん、相手先のメールアドレスや住所などを登録できる構成としてもよい。
【００３０】
更に、サーバ１０３には、複数の広告情報を登録した広告情報テーブル１０３ｃが管理されている。ここでは、広告情報として、広告主の名称、広告主のページが存在するＵＲＬ、その広告主のページを提示したいユーザの属性（Ｔａｒｇｅｔ）が登録されている。
【００３１】
ユーザの属性としては、ユーザ情報テーブル１０３ａに登録されたユーザの個人情報に対応した情報が登録される。例えば、年齢や居住地域などで提示する広告を選択する。一人のユーザの属性に複数の広告が該当する場合には、抽選で１つを選択すればよい。
【００３２】
サーバ１０３は、ユーザからアクセスに対して、ユーザ情報テーブル１０３ａを検索して、ユーザ登録されたユーザか否か判定する。そして、ユーザ情報テーブル１０３ａに登録されたユーザであると判定すると、次に、そのユーザの相手先電話番号リストをテーブル１０３ｂから読出し、ユーザ端末１０１に送って、その表示画面に、複数の相手先を表示させる。
【００３３】
リスト中の１つの相手先に対する通話要求操作があったことをユーザ端末１０１が検知すると、サーバ１０３にその旨送信し、サーバ１０３は、テーブル１０３ａからユーザの属性を読出して、その属性に対応する広告をテーブル１０３ｃから選択する。そしてテーブル１０３ｃに登録されたＵＲＬにアクセスして、その広告主のＷｅｂページをユーザ端末１０１に送信して、広告画像として表示させる。同時に、ユーザが選択した相手先との通話処理が行なわれるが、ユーザは、通話終了後も広告に関心があればそのまま続けて広告内容を詳しく見ることができ、ユーザにとって優れた情報収集の場にもなりえる。
【００３４】
なお、ここでは、サーバ１０３が、ユーザが通話相手先を選択したことを検知して、広告主のページをユーザ端末１０１に送信することとしているが、サーバ１０３が広告主から依頼されて独自の広告画像を生成し、ユーザ端末１０１に送信しても良い。つまり、広告主が一般に用意しているＷｅｂページではなく、通話終了後にユーザが見た場合に宣伝効果の高い画像を特別に用意し、その中に、広告主のＷｅｂページへのリンクを貼っても良い。
【００３５】
以上のように、本実施形態によれば、通話サービスと広告機能とを効果的に融合して、一般の通信端末ユーザにとっても、広告主にとっても有益なサービスを展開することが可能となる。
【００３６】
なお、上記実施形態では、交換機１０４が、サーバ１０３からの要求に応じて、ユーザ及び相手先に発呼して、着呼後にそれらを接続する通話処理について説明したが、本発明はこれに限定されるものではない。例えば、ユーザ端末に内蔵されたアナログモデムを介して相手先端末に対して発呼する構成でも良いし、ＩＰ電話を利用する構成でも良い。
【００３７】
更に、プリペイド携帯などで、端末内に予め広告画像が複数格納されており、発呼と同時にその広告画像が表示される形態でもよい。その場合、サーバから広告画像データを受信する必要はない。つまり、インターネットに対する接続機能を有しない端末にも本発明を適用できる。
【００３８】
上述の実施形態を利用すれば、ユーザは広告されている商品を購入した場合にのみノベルティーとして通話領域の全部もしくは一部を負担するサービス方法を実現することも可能となる。
【００３９】
なお、図１〜図３では、ユーザ端末や相手先端末として携帯電話を表わしたが、本発明はこれに限定されるものではなく、ＰＣやＰＤＡやインターネット可能な固定電話機にも適用可能である。
【図面の簡単な説明】
【００４０】
【図１】本発明の実施形態にかかるシステムの全体構成を示す図である。
【図２】本発明の実施形態にかかるシステムの処理の流れを示す図である。
【図３】本発明の実施形態にかかるサーバが管理するデータを示す図である。
【図１】
2006319653.tif 000003
【図２】
2006319653.tif 000004
【図３】
2006319653.tif 000005